(57)【要約】      （修正有）【課題】  家電等の大型重量製品等の強力安全包装に優れ、緩衝材と板紙箱との一体化と着脱性に優れ、かつ被包装製品の外部からの視認性に優れた包装材を得る。【解決手段】  底板１、対向側板２，２及び対向端板３，３よりなる１組の板紙箱４のそれぞれ隅角に、側板２及び端板３と交差する接続板５を設け、対向端板３，３及び接続板５，５の内側に成形受材６を着脱自在に嵌合し、かつ受材６，６に接続板５，５の外面に係合する突出部６’，６’を設けてなる包装材。【選択図】  図１
2007039071.tif 000002
【特許請求の範囲】
【請求項１】
底板、対向側板及び対向端板よりなる１組の板紙箱のそれぞれ隅角に、上記側板及び端板と交差する接続板を設け、
上記対向端板及び接続板の内側に成形受材を着脱自在に嵌合し、
かつ上記受材に上記接続板の外面に係合する突出部を設けてなる包装材。
【請求項２】
上記側板、端板及び接続板をそれぞれ重層板によって形成した請求項１記載の包装材。
【請求項３】
板紙箱が段ボール箱であり成形受材がパルプモウルドによって成形されてなる緩衝材である請求項１又は２記載の包装材。
【請求項４】
上記底板、対向側板及び成形受材によってプラスチックフイルムを支持してなる請求項１〜３のいずれかに記載の包装材。
【発明の詳細な説明】
【技術分野】
【０００１】
本発明は板紙箱等と成形受材との複合による輸送用包装材に関するものである。
【背景技術】
【０００２】
従来、ダンボール梱包箱の内部対向端面に対向するパルプモウルド緩衝材を配置し、該緩衝材により被包装製品の両端を支持した状態で、これを１個の方形梱包箱（６面体箱）に収容し、上蓋で梱包箱の上面を閉鎖して梱包する包装装置が開発されている。
【０００３】
しかし１個の梱包箱内に１個の被包装製品を収容すると梱包箱の大きさに制約されて大型重量被包装製品を簡便堅牢に包装することは箱の大きさ（サイズ）、強度及び安全性に問題があるばかりでなく、被包装製品を税関などで外側から視覚で確認することは困難であった（例えば特許文献１、２、３、４）。
【０００４】
【特許文献１】特開２００３−１７５９８３号
【特許文献２】特開２００１−１９０５０号
【特許文献３】特開２００１−３５４２７１号
【特許文献４】特開２０００−１５３８７９号
【発明の開示】
【発明が解決しようとする課題】
【０００５】
本発明は家電等の大型重量製品等の強力安全包装に優れ、緩衝材と板紙箱との一体化と着脱性に優れた包装材を得ることを目的とする。
【課題を解決するための手段】
【０００６】
上記の目的を達成するため本発明は
第１に底板、対向側板及び対向端板よりなる１組の板紙箱のそれぞれ隅角に、上記側板及び端板と交差する接続板を設け、上記対向端板及び接続板の内側に成形受材を着脱自在に嵌合し、かつ上記受材に上記接続板の外面に係合する突出部を設けてなる包装材、
第２に上記側板、端板及び接続板をそれぞれ重層板によって形成した上記第１発明記載の包装材、
第３に板紙箱が段ボール箱であり成形受材がパルプモウルドによって成形されてなる緩衝材である上記第１又は第２発明記載の包装材、
第４に上記底板、対向側板及び成形受材によってプラスチックフイルムを支持してなる上記第１〜第３発明のいずれかに記載の包装材、
によって構成される。
【０００７】
従って１組の上記板紙又は段ボール箱を被包装製品の上下又は両側に対向配置し、対向する成形受材によって該製品の上下又は両側を支持して緩衝状態に固定する。
【０００８】
上記成形受材は上記接続板と突出部との係合によって上記箱の対向端部に着脱自在に固定される。
【０００９】
この状態において被包装製品は上下又は両側に対向配置した１組の上記箱及び１組の上記箱内の成形受材間に露出して外側から眼で確認することができる。
【００１０】
勿論、上下又は両側の上記箱は合成樹脂バンドを巻回して締付けられる。
【発明の効果】
【００１１】
本発明は上述のように構成したので家電等の大型重量製品等を強力安全にずれなく包装し、緩衝材は上記箱と一体化及び着脱性に優れ、かつ外部から被包装製品を眼で確認し得て包装材を開口又は破袋する必要がない。
【発明を実施するための最良の形態】
【００１２】
図６（イ）図に示すように厚板紙又は段ボール板による長方形底板１の長縁に平行折畳線１’，１’を介して対向外側板２’，２’を設け、該側板２’，２’の外側に２重折畳線２ａ，２ａを介して対向内側板２”，２”を連設し、２重折畳線２ａ，２ａから折畳んで対向内外側板２”，２’によって（ロ）図に示すように対向側板２，２を互に平行に立設する。
【００１３】
対向内外側板２”，２’の両端部を延長し、該延長部２ｂ，２ｂから上記平行折畳線１’，１’に沿って切込線１”，１”を形成し、上記２重折畳線２ａ，２ａの両端部に長方形切込み空間ｓ，ｓ及び該空間ｓ，ｓから延長端に向い２重折畳線２ａ，２ａに沿う切込み溝２ｃ，２ｃを形成する。
【００１４】
上記長方形底板１の両端には折畳線１ａ，１ａを介して台形起立外端板３’，３’を接続し、その両端に２重折畳線３ａを介して対向内端板３”，３”を連設する。
【００１５】
対向内端板３”，３”の外端には突出縁７，７を設け、長方形底板１の両端折畳線１ａ，１ａの中央部に沿って上記突出縁７，７を挿入する長孔８，８を穿設する。
【００１６】
このように形成した厚板紙又は段ボール板の平行折畳線１’，１’を９０度、２重折畳線２ａ，２ａを１８０度折畳み、対向内外側板２”，２’の両端部に形成した第１折畳線ｓ’，ｓ’から上記空間部ｓ，ｓを対向方向に４５度折畳み、さらに第１折畳線ｓ’，ｓ’と平行な第２折畳線ｓ”，ｓ”を対向方向に４５度折畳み、
さらに台形起立外端板３’，３’を折畳線１ａ，１ａから直立し、２重折畳線３ａ，３ａから対向内端板３”，３”を２重折畳線３ａ，３ａから内側に１８０度折畳んで上記第２折畳線ｓ”，ｓ”からの延長部分２ｂ，２ｂの内側に折返し、上記突出縁７，７を上記長孔８，８に挿入し図５（イ）（ロ）及び図６（ロ）図に示す対向端板３，３及び板紙又は段ボール板による箱４を１組形成することができる。
【００１７】
上記箱４の４隅には上記切込線１”から空間ｓまでの高さが短く、平行折畳線１’，１’から２重折畳線２ａ，２ａまでの高さよりも低い接続板５が形成される。
【００１８】
このようにした１組の箱４，４のそれぞれ対向内端部には上記対向端板３，３、接続板５，５及び対向側板２，２に接して着脱自在に成形受材６，６を嵌合する。
【００１９】
上記受材６はパルプモウルドによって成形されてなる緩衝材であって、
上記受材６の両隅に上記接続板５，５の外面に係合する突出部６’，６’を設ける。
【００２０】
このように形成した上記箱４，４の上記対向側板２，２、接続板５，５は板紙又は段ボール板によって２重層となり対向端板３，３は３重層となる（図６（ロ）図）。
【００２１】
又上記１組の箱４，４の内面即ち底板１、対向側板２，２及び成形受材６，６の内面に合成樹脂包装用フイルム９を接し、該フイルム９を介してテレビその他の大型家電製品１０の下端部を図１、図２に示すように上向の上記箱４内に挿入し、該製品１０の両端下面１０’，１０’を上記成形受材６，６の対向内面下部に成形した受段６”，６”上に支持し、該製品１０の両側面を対向起立受面６ａ，６ａ（図１、図２、図３）に支持し、かつ該製品１０の両端面を起立受面６ｂ，６ｂによって支持する。
【００２２】
上記家電製品１０の上端部も図１に示すように下向の上記箱４内に挿入し、上下の上記箱４，４の中間部は該製品１０を露出し、露出部は上下の合成樹脂包装用フイルム９，９を加熱溶着して被覆する。
【００２３】
そして上下の上記板紙箱４，４は数条の合成樹脂バンド１１で１体に締付けられて、搬送される。
【００２４】
尚図３中６ｃ，６ｃ’で示す凹凸は成形受材６を補強するものであり、６ｄは上縁フランジであって上記箱４の上縁に係合し、又６ｅは成形受材６の内端下縁で底板１に支持される。また６ｆは接続板５の上縁に支持される部分である。又図７中１２は床面である。
【産業上の利用可能性】
【００２５】
本発明は上述のように成形受材６を緩衝材として大型電機製品１０その他比較的大型重量の精密機械製品の強く安全な包装輸送に適し、又上記箱４と成形受材６とは使用後分離廃棄することが容易で分別廃品回収が容易である。
【図面の簡単な説明】
【００２６】
【図１】（イ）図は本発明の包装材による包装状態を示す一部切欠正面図、（ロ）図は（イ）図Ａ−Ａ線による横断面図である。
【図２】包装状態一部縦断分解正面図である。
【図３】成形受材及び板紙箱との分解斜視図である。
【図４】板紙箱及び成形受材の一部分解平面図である。
【図５】（イ）図は板紙箱の平面図、（ロ）図はその正面図である。
【図６】（イ）図は板紙箱の展開図、（ロ）図は板紙箱の組立状態斜視図である。
【図７】両側包装状態の一部切欠正面図である。
【符号の説明】
【００２７】
１        底板
２        対向側板
３        対向端板
４        板紙箱
５        接続板
６        成形受材
６’      突出部
【図１】
2007039071.tif 000003
【図２】
2007039071.tif 000004
【図３】
2007039071.tif 000005
【図４】
2007039071.tif 000006
【図５】
2007039071.tif 000007
【図６】
2007039071.tif 000008
【図７】
2007039071.tif 000009